(57)【特許請求の範囲】
【請求項１】
送信宛先を指定する指定手段と、
前記指定手段により指定された送信宛先を表示する表示手段と、
送信に関する複数の設定項目のうち１つの設定項目を選択する選択手段と、を備え、
前記表示手段は、前記選択手段により選択された設定項目に関連する通信方式の送信宛先と前記選択手段により選択された設定項目に関連しない通信方式の送信宛先とが区別可能な状態で、前記指定手段により指定された送信宛先を表示することを特徴とする送信装置。
【請求項２】
原稿上の画像を読み取って画像データを生成する読取手段と、
前記指定手段により指定された送信宛先に、前記読取手段が生成した画像データを送信する送信手段と、
を更に備えることを特徴とする請求項１に記載の送信装置。
【請求項３】
前記表示手段は、前記選択手段により選択された設定項目に関連する通信方式の送信宛先をハイライト表示することを特徴とする請求項１または２に記載の送信装置。
【請求項４】
前記通信方式は、電子メール送信、ＦＡＸ送信、Ｉ−ＦＡＸ送信、ファイル送信の少なくとも１つを含むことを特徴とする請求項１から３のいずれか１項に記載の送信装置。
【請求項５】
指定手段が、送信宛先を指定する指定ステップと、
表示手段が、前記指定ステップで指定された送信宛先を表示する表示ステップと、
選択手段が、送信に関する複数の設定項目のうち１つの設定項目を選択する選択ステップと、を備え、
前記表示ステップでは、前記選択ステップで選択された設定項目に関連する通信方式の送信宛先と前記選択ステップで選択された設定項目に関連しない通信方式の送信宛先とが区別可能な状態で、前記指定ステップで指定された送信宛先を表示することを特徴とする送信装置の制御方法。
【請求項６】
送信装置の制御をコンピュータに実行させるプログラムであって、
前記コンピュータに、
送信宛先を指定する指定ステップと、
前記指定ステップで指定された送信宛先を表示する表示ステップと、
送信に関する複数の設定項目のうち１つの設定項目を選択する選択ステップと、を実行させ、
前記表示ステップでは、前記選択ステップで選択された設定項目に関連する通信方式の送信宛先と前記選択ステップで選択された設定項目に関連しない通信方式の送信宛先とが区別可能な状態で、前記指定ステップで指定された送信宛先を表示することを特徴とするプログラム。
【請求項７】
前記コンピュータに、
原稿上の画像を読み取って画像データを生成する読取ステップと、
前記指定ステップで指定された送信宛先に、前記読取ステップで生成した画像データを送信する送信ステップと、
を更に実行させることを特徴とする請求項６に記載のプログラム。
【請求項８】
前記表示ステップでは、前記選択ステップで選択された設定項目に関連する通信方式の送信宛先をハイライト表示することを特徴とする請求項６または７に記載のプログラム。
【請求項９】
前記通信方式は、電子メール送信、ＦＡＸ送信、Ｉ−ＦＡＸ送信、ファイル送信の少なくとも１つを含むことを特徴とする請求項６から８のいずれか１項に記載のプログラム。
【発明の詳細な説明】
【技術分野】
【０００１】
本発明は、指定された送信宛先にデータを送信する送信装置、装置装置の制御方法、及びプログラムに関する。
【背景技術】
【０００２】
近年、ファクシミリ（ＦＡＸ）、電子メール、インターネットファクシミリ（Ｉ−ＦＡＸ）などの複数の通信プロトコルでの通信を実行可能な通信装置が普及してきている。このような装置においては、選択された通信プロトコルに対応した付加情報（設定情報）の設定画面を表示し、かかる設定画面で設定された付加情報に基づいて相手先（宛先）と通信を行う技術が提案されている（特許文献１参照）。
【先行技術文献】
【特許文献】
【０００３】
【特許文献１】特開２００４−３６４２１８号公報
【発明の概要】
【発明が解決しようとする課題】
【０００４】
特許文献１には、複数の通信プロトコルからある通信プロトコルが選択された際に、かかる通信プロトコルに対応した設定画面を表示することは記載されている。しかしながら、特許文献１には、複数の異なる通信プロトコルが選択されることについては一切言及されていない。従って、特許文献１には、複数の異なる種別の通信プロトコルが選択された際の設定画面の表示（制御）に関する記載はない。
【０００５】
つまり、特許文献１に記載の技術では、ユーザは各通信プロトコルを１つずつ選択して各々の設定画面を表示させ、設定を行わなければならず手間がかかっていた。
【０００６】
また、特許文献１には、設定画面における設定項目と通信プロトコルとの関連（即ち、どの設定項目がどの通信プロトコルに影響するのか）を表示することに関しても記載されていない。
【０００７】
このため、どの設定項目がどの通信プロトコルに関連しているのかがユーザにとって分かり難く、使い勝手が良くなかった。
【０００８】
本発明は、このような従来技術の課題に鑑みてなされ、通信方式が異なる複数の送信宛先が指定されている場合の設定画面の表示（制御）に関する新たな技術を提供することを目的とする。
【課題を解決するための手段】
【０００９】
上記目的を達成するために、本発明の一側面としての送信装置は、送信宛先を指定する指定手段と、前記指定手段により指定された送信宛先を表示する表示手段と、送信に関する複数の設定項目のうち１つの設定項目を選択する選択手段と、を備え、前記表示手段は、前記選択手段により選択された設定項目に関連する通信方式の送信宛先と前記選択手段により選択された設定項目に関連しない通信方式の送信宛先とが区別可能な状態で、前記指定手段により指定された送信宛先を表示することを特徴とする。
【００１０】
本発明の更なる目的又はその他の特徴は、以下、添付図面を参照して説明される好ましい実施例によって明らかにされるであろう。
【発明の効果】
【００１１】
本発明によれば、通信方式が異なる複数の送信宛先が指定されている場合の設定画面の表示（制御）に関する新たな技術を提供することができる。
【図面の簡単な説明】
【００１２】
【図１】本発明の一側面としての宛先設定装置を備えた通信装置を含むシステムの構成を示す概略ブロック図である。
【図２】図１に示す通信装置の通信対象（となる宛先）を設定するための設定画面の一例を示す図である。
【図３】通信プロトコルで設定可能な設定項目を含む設定画面の一例を示す図である。
【図４】通信プロトコル（の種別）と、かかる通信プロトコルで設定可能な設定項目との関係を示すデータベースの一例を示す図である。
【図５】図１に示す通信装置の通信対象（となる宛先）を設定するための設定画面の一例を示す図である。
【図６】通信プロトコルで設定可能な設定項目を含む設定画面の一例を示す図である。
【図７】図１に示す通信装置の通信対象（となる宛先）を設定するための設定画面の一例を示す図である。
【図８】通信プロトコルで設定可能な設定項目を含む設定画面の一例を示す図である。
【図９】第１の実施形態における通信プロトコルで設定可能な設定項目を含む設定画面を表示する処理を示すフローチャートである。
【図１０】図１に示す通信装置の通信対象（となる宛先）を設定するための設定画面の一例を示す図である。
【図１１】通信プロトコルで設定可能な設定項目を含む設定画面の一例を示す図である。
【図１２】図１に示す通信装置の通信対象（となる宛先）を設定するための設定画面の一例を示す図である。
【図１３】通信プロトコルで設定可能な設定項目を含む設定画面の一例を示す図である。
【図１４】図１に示す通信装置の通信対象（となる宛先）を設定するための設定画面の一例を示す図である。
【図１５】通信プロトコルで設定可能な設定項目を含む設定画面の一例を示す図である。
【図１６】第２の実施形態における通信プロトコルで設定可能な設定項目を含む設定画面を表示する処理を示すフローチャートである。
【図１７】図１に示す通信装置の通信対象（となる宛先）を設定するための設定画面の一例を示す図である。
【図１８】図１に示す通信装置の通信対象（となる宛先）を設定するための設定画面の一例を示す図である。
【図１９】図１７及び図１８に示す設定画面において、宛先リストに入力された複数の宛先情報の表示を制御する処理を示すフローチャートである。
【図２０】図１に示す通信装置の通信対象（となる宛先）を設定するための設定画面の一例を示す図である。
【図２１】図１７及び図１８に示す設定画面において、宛先リストに入力された複数の宛先情報の表示を制御する処理を示すフローチャートである。
【発明を実施するための形態】
【００１３】
以下、添付図面を参照して、本発明の好適な実施の形態について説明する。なお、各図において、同一の部材については同一の参照番号を付し、重複する説明は省略する。
【００１４】
図１は、本発明の一側面としての宛先設定装置を備えた通信装置１を含むシステムの構成を示す概略ブロック図である。通信装置１は、本実施形態では、コピー機能、プリント機能などを有する複合装置である。また、通信装置１は、複数の通信プロトコル（例えば、ファクシミリ（ＦＡＸ）、電子メール、インターネットファクシミリ（Ｉ−ＦＡＸ））での通信が実行可能である（即ち、複数の通信プロトコルでの通信を実行可能とするための通信機能を有する）。
【００１５】
通信装置１は、図１に示すように、画像入力デバイスとしてのスキャナ部１０と、画像出力デバイスとしてのプリンタ部２０と、制御ユニット３０と、操作部４０とを有する。なお、通信装置１は、ＬＡＮなどの内部ネットワークＩＮを介して、パーソナルコンピュータＰＣやサーバＳＶなどの情報処理装置や画像形成装置などの内部装置と通信可能に接続されている。また、通信装置１は、ＷＡＮなどの外部ネットワークＯＮを介して、情報処理装置や画像形成装置などの外部装置と通信可能に接続されている。
【００１６】
通信装置１は、例えば、スキャナ部１０で読み取った画像をプリンタ部２０で印刷する（画像を記録紙に形成する）ことでコピー機能を実現する。また、通信装置１は、内部ネットワークＩＮや外部ネットワークＯＮなどを介して供給される画像データに対応する画像をプリンタ部２０で印刷することでプリント機能を実現する。更に、通信装置１は、内部ネットワークＩＮや外部ネットワークＯＮなどを介して各種の通信機能を実現する。
【００１７】
制御ユニット３０は、通信装置１の全体（動作）を制御する。例えば、制御ユニット３０は、本実施形態では、操作部４０への設定画面の表示などを制御する。例えば、制御ユニット３０は、後述するように、宛先リストに入力された宛先情報に含まれる通信プロトコルを判定し、かかる判定結果に基づいて、操作部４０に表示される生成して操作部４０に表示する。また、制御ユニット３０は、後述するように、宛先リストに入力された宛先情報の表示も制御する。
【００１８】
ＣＰＵ３０１、ＲＡＭ３０２、ＲＯＭ３０３、ハードディスク３０４、操作部インターフェース（Ｉ／Ｆ）３０５、ネットワークＩ／Ｆ３０６、モデム３０７及びイメージバスＩ／Ｆ３０８は、システムバス３０９を介して接続されている。
【００１９】
ＣＰＵ３０１は、ハードディスク（ＨＤＤ）３０４に格納されているプログラム（制御プログラムを含む各種プログラム）を読み出し、ＲＡＭ３０２をワークエリアとして所定の処理を実行する。例えば、ＣＰＵ３０１は、制御プログラムに基づいてシステムバス３０９に接続される各部とのアクセスを総括的に制御する。
【００２０】
ＲＯＭ３０３は、ブートプログラムなどを格納する。ＨＤＤ３０４は、各種プログラムや画像データなどを格納する。
【００２１】
操作部Ｉ／Ｆ３０５は、操作部４０とのインターフェースである。操作部Ｉ／Ｆ３０５は、操作部４０に表示する画像に対応する画像データの操作部４０への送信、操作部４０におけるユーザの操作（入力）によって発生した信号の受信、かかる信号のＣＰＵ３０１への送信などを行う。
【００２２】
ネットワークＩ／Ｆ３０６は、内部ネットワークＩＮに接続される。ネットワークＩ／Ｆ３０６は、内部ネットワークＩＮを介して、データや情報の入出力を行う。
【００２３】
モデム３０７は、外部ネットワークＯＮに接続される。モデム３０７は、外部ネットワークＯＮを介して、データや情報の入出力を行う。
【００２４】
イメージバスＩ／Ｆ３０８は、システムバス３０９と画像バス３１１とを接続し、データ構造を変換するバスブリッジを含む。
【００２５】
画像バス３１１は、画像データを高速で転送可能なＰＣＩバス、或いは、ＩＥＥＥ１３９４規格に従ったバスで構成される。画像バス３１１には、ラスタイメージプロセッサ（ＲＩＰ）３１２、デバイスインターフェース（Ｉ／Ｆ）３１３、スキャナ画像処理部３１４、プリンタ画像処理部３１５、画像回転部３１６及び画像圧縮部３１７が接続されている。
【００２６】
ＲＩＰ３１２は、ＰＤＬコードをビットマップイメージに展開する。
【００２７】
デバイスＩ／Ｆ３１３は、画像入力デバイスとしてのスキャナ部１０や画像出力デバイスとしてのプリンタ部２０と制御ユニット３０とを接続し、画像データの同期系／非同期系の変換を行う。スキャナ部１０で読み込まれた画像データは、デバイスＩ／Ｆ３１３を介して、制御ユニット３０に入力されて所定の処理が施される。所定の処理が施された画像データは、デバイスＩ／Ｆ３１３を介して、プリンタ部２０に出力されて印刷される。
【００２８】
スキャナ画像処理部３１４は、スキャナ部１０から入力される画像データに対して、補正処理、加工処理、編集処理などを行う。
【００２９】
プリンタ画像処理部３１５は、プリンタ部２０で印刷（出力）する画像データに対して、補正処理、解像度変換処理などを行う。
【００３０】
画像回転部３１６は、画像データの回転処理を行う。
【００３１】
画像圧縮部３１７は、多値画像データに対してはＪＰＥＧの圧縮伸長処理、二値画像データに対してはＪＢＩＧ、ＭＭＲ、ＭＨの圧縮伸長処理を行う。
【００３２】
操作部４０は、通信装置１の画像形成に関する各機能における現在の設定状態や各機能における設定情報を入力するための設定画面などを表示する表示部、各機能における設定情報を入力するためのキーなどを含む入力部などで構成される。
【００３３】
以下、通信装置１における制御ユニット３０の処理、特に、操作部４０への設定画面などの表示を制御する処理について説明する。
【００３４】
＜第１の実施形態＞
第１の実施形態では、通信対象（即ち、通信装置１からデータを送信する対象）となる宛先を表示する宛先リストに入力された宛先情報に基づいて、通信プロトコルで設定可能な設定項目を含む設定画面を表示する処理を説明する。かかる処理は、上述したように、ＣＰＵ３０１が通信装置１の各部を統括的に制御することによって実行される。なお、宛先情報は、本実施形態では、宛先と、かかる宛先の通信プロトコルとを含む情報である。
【００３５】
図２は、通信装置１の通信対象（となる宛先）を設定するための設定画面２００の一例を示す図である。設定画面２００は、操作部４０に表示される。
【００３６】
図２を参照するに、宛先表２０２は予め登録された複数の宛先情報を有し、宛先表２０２から選択された宛先情報が宛先リスト２０４に入力（表示）される。なお、宛先表２０２に登録されていない宛先情報を入力する場合には、新規宛先入力部２０６を用いればよい。新規宛先入力部２０６は、宛先と、かかる宛先の通信プロトコルとを含む新たな宛先情報を宛先リスト２０４に入力することを可能にする。図２に示す設定画面２００では、宛先として「ｔｅｓｔ３」、通信プロトコルとして「Ｉ−ＦＡＸ」を含む宛先情報２０８が宛先リスト２０４に入力されている。
【００３７】
図２に示す設定画面２００において、送信設定ボタン２１０が押下（選択）されると、図３に示すように、送信時に用いられる設定項目の設定画面３００が操作部４０に表示される。例えば、宛先リスト２０４に１つの宛先情報が入力された状態で送信設定ボタン２１０が押下された場合には、宛先リスト２０４に入力されている宛先情報に含まれる通信プロトコルで設定可能な設定項目を含む設定画面４００が生成される。ここで、図３は、通信プロトコルで設定可能な設定項目を含む設定画面４００の一例を示す図である。
【００３８】
具体的に、図２に示すように、宛先として「ｔｅｓｔ３」、通信プロトコルとして「Ｉ−ＦＡＸ」を含む宛先情報２０８が宛先リスト２０４に入力されている状態で送信設定ボタン２１０が押下された場合を考える。この場合、図３に示すように、「Ｉ−ＦＡＸ」の通信プロトコルで設定可能な設定項目として、送信文書名４０２、件名４０４、本文４０６及び返信先４０８を含む設定画面４００が生成されて操作部４０に表示される。このように、設定画面４００は、「Ｉ−ＦＡＸ」の通信プロトコル（宛先リスト２０４に入力されている宛先情報２０８に含まれる種別の通信プロトコル）で設定可能な設定項目のみ（送信文書名４０２、件名４０４、本文４０６及び返信先４０８）を含む。
【００３９】
なお、図４に示すように、通信プロトコル（の種別）と、かかる通信プロトコルで設定可能な設定項目との関係を示すデータベースは、制御ユニット３０のＲＡＭ３０２やＨＤＤ３０４に予め格納されている。従って、ＣＰＵ３０１は、宛先リスト２０４に入力されている宛先情報２０８から通信プロトコルの種別を抽出すると共に、図４に示すデータベースを参照することで、設定画面３００に含める設定項目を決定することができる。ここで、図４は、通信プロトコル（の種別）と、かかる通信プロトコルで設定可能な設定項目との関係を示すデータベースの一例を示す図である。
【００４０】
また、図５に示すように、宛先表２０２及び／又は新規宛先入力部２０６を介して、通信装置１が通信可能な全ての通信プロトコルを含む複数の宛先情報２３０が宛先リスト２０４に入力されている状態で送信設定ボタン２１０が押下された場合を考える。複数の宛先情報２３０は、具体的には、宛先として「ｔｅｓｔ」、通信プロトコルとして「ＦＡＸ」を含む宛先情報２３２と、宛先として「ｔｅｓｔ２」、通信プロトコルとして「電子メール」を含む宛先情報２３４とを含む。更に、複数の宛先情報２３０は、宛先として「ｔｅｓｔ３」、通信プロトコルとして「Ｉ−ＦＡＸ」を含む宛先情報２３６と、宛先として「ｔｅｓｔ４」、通信プロトコルとして「ファイル」を含む宛先情報２３８とを含む。ここで、図５は、通信装置１の通信対象（となる宛先）を設定するための設定画面２００の一例を示す図である。
【００４１】
この場合、図６に示すように、複数の宛先情報２３０に含まれる全ての通信プロトコルのそれぞれで設定可能な設定項目をマージした設定項目を含む設定画面５００が生成されて操作部４０に表示される。設定画面５００は、「ＦＡＸ」、「電子メール」、「Ｉ−ＦＡＸ」及び「ファイル」の通信プロトコルで設定可能な設定項目をマージした設定項目として、送信文書名５０１、件名５０２、本文５０３を含む。更に、設定画面５００は、「ＦＡＸ」、「電子メール」、「Ｉ−ＦＡＸ」及び「ファイル」の通信プロトコルで設定可能な設定項目をマージした設定項目として、返信先５０４、発信人名称５０５、電子メールの重要度５０６を含む。また、設定画面５００は、複数の通信プロトコルのそれぞれ（「ＦＡＸ」、「電子メール」、「Ｉ−ＦＡＸ」及び「ファイル」）と設定項目との関連を識別するための識別子５１１乃至５１６を含む。例えば、識別子５１１は、送信文書名５０１の設定項目が「電子メール」、「Ｉ−ＦＡＸ」及び「ファイル」の通信プロトコルに関連している（即ち、かかる通信プロトコルで設定可能な設定項目である）ことを示している。識別子５１２、５１３及び５１４は、件名５０２、本文５０３及び返信先５０４の設定項目が「電子メール」及び「Ｉ−ＦＡＸ」の通信プロトコルに関連していることを示している。識別子５１５は、発信人名称５０５の設定項目が「ＦＡＸ」の通信プロトコルに関連していることを示している。識別子５１６は、電子メールの重要度５０６の設定項目が「電子メール」の通信プロトコルに関連していることを示している。なお、識別子５１１乃至５１６は、本実施形態では、複数の通信プロトコルのそれぞれを表すアイコンであるが、複数の通信プロトコルのそれぞれと設定項目との関連を識別することができればどのような形態であってもよい。ここで、図６は、通信プロトコルで設定可能な設定項目を含む設定画面５００の一例を示す図である。
【００４２】
なお、上述したように、通信プロトコル（の種別）と、かかる通信プロトコルで設定可能な設定項目との関係を示すデータベース（図４）は、制御ユニット３０のＲＡＭ３０２やＨＤＤ３０４に予め格納されている。従って、ＣＰＵ３０１は、宛先リスト２０４に入力されている複数の宛先情報２３０から複数の異なる種別の通信プロトコルを抽出すると共に、図４に示すデータベースを参照する。そして、ＣＰＵ３０１は、複数の異なる種別の通信プロトコルのそれぞれで設定可能な設定項目をマージすることで設定画面５００に含める設定項目を決定することができる。
【００４３】
また、図７に示すように、宛先表２０２及び／又は新規宛先入力部２０６を介して、通信装置１が通信可能な複数の通信プロトコルを含む複数の宛先情報２５０が宛先リスト２０４に入力されている状態で送信設定ボタン２１０が押下された場合を考える。複数の宛先情報２５０は、具体的には、宛先として「ｔｅｓｔ２」、通信プロトコルとして「電子メール」を含む宛先情報２５２と、宛先として「ｔｅｓｔ３」、通信プロトコルとして「Ｉ−ＦＡＸ」を含む宛先情報２５４とを含む。更に、複数の宛先情報２５０は、宛先として「ｔｅｓｔ４」、通信プロトコルとして「ファイル」を含む宛先情報２５６とを含む。ここで、図７は、通信装置１の通信対象（となる宛先）を設定するための設定画面２００の一例を示す図である。
【００４４】
この場合、図８に示すように、複数の宛先情報２５０に含まれる複数の通信プロトコルのそれぞれで設定可能な設定項目をマージした設定項目を含む設定画面６００が生成されて操作部４０に表示される。設定画面６００は、「電子メール」、「Ｉ−ＦＡＸ」及び「ファイル」の通信プロトコルで設定可能な設定項目をマージした設定項目として、送信文書名６０１、件名６０２、本文６０３、返信先６０４、電子メールの重要度６０５を含む。また、設定画面６００は、複数の通信プロトコルのそれぞれ（「電子メール」、「Ｉ−ＦＡＸ」及び「ファイル」）と設定項目との関連を識別するための識別子６１１乃至６１５を含む。例えば、識別子６１１は、送信文書名６０１の設定項目が「電子メール」、「Ｉ−ＦＡＸ」及び「ファイル」の通信プロトコルに関連している（即ち、かかる通信プロトコルで設定可能な設定項目である）ことを示している。識別子６１２、６１３及び６１４は、件名６０２、本文６０３及び返信先６０４の設定項目が「電子メール」及び「Ｉ−ＦＡＸ」の通信プロトコルに関連していることを示している。識別子６１５は、電子メールの重要度６０５の設定項目が「電子メール」の通信プロトコルに関連していることを示している。なお、識別子５１６は、本実施形態では、複数の通信プロトコルのそれぞれを表すアイコンであるが、複数の通信プロトコルのそれぞれと設定項目との関連を識別することができればどのような形態であってもよい。なお、識別子６１１乃至６１５は、本実施形態では、複数の通信プロトコルのそれぞれを表すアイコンであるが、複数の通信プロトコルのそれぞれと設定項目との関連を識別することができればどのような形態であってもよい。ここで、図８は、通信プロトコルで設定可能な設定項目を含む設定画面６００の一例を示す図である。
【００４５】
なお、上述したように、通信プロトコル（の種別）と、かかる通信プロトコルで設定可能な設定項目との関係を示すデータベース（図４）は、制御ユニット３０のＲＡＭ３０２やＨＤＤ３０４に予め格納されている。従って、ＣＰＵ３０１は、宛先リスト２０４に入力されている複数の宛先情報２５０から複数の異なる種別の通信プロトコルを抽出すると共に、図４に示すデータベースを参照する。そして、ＣＰＵ３０１は、複数の異なる種別の通信プロトコルのそれぞれで設定可能な設定項目をマージすることで設定画面６００に含める設定項目を決定することができる。
【００４６】
図９は、上述した通信プロトコルで設定可能な設定項目を含む設定画面を表示する処理を示すフローチャートである。
【００４７】
図９を参照するに、まず、ステップＳ１００２において、宛先表２０２又は新規宛先入力部２０６を介して、宛先リスト２０４に宛先情報が入力される。
【００４８】
ステップＳ１００４において、送信設定ボタン２１０が押下（選択）されたか否かを判定する。送信設定ボタン２１０が押下されていないと判定された場合には、ステップＳ１００２に戻る。一方、送信設定ボタン２１０が押下されたと判定された場合には、ステップＳ１００６に進む。
【００４９】
ステップＳ１００６において、ステップＳ１００２で宛先リスト２０４に入力された宛先情報を確認して、宛先リスト２０４に入力された宛先情報に含まれている通信プロトコルを抽出する。
【００５０】
ステップＳ１００８において、ステップＳ１００６で抽出された通信プロトコルが１つの種別の通信プロトコルを含むか否かを判定する。換言すれば、ステップＳ１００８において、ステップＳ１００６で抽出された通信プロトコルが１つの種別の通信プロトコルを含むか、複数の異なる種別の通信プロトコルを含むかを判定する。
【００５１】
ステップＳ１００６で抽出された通信プロトコルが１つの種別の通信プロトコルを含むと判定された場合には、ステップＳ１０１０に進む。
【００５２】
ステップＳ１０１０において、ステップＳ１００６で抽出された通信プロトコル及び通信プロトコルと、かかる通信プロトコルで設定可能な設定項目との関係を示すデータベース（図４）に基づいて、設定画面４００に含める設定項目を決定する。
【００５３】
ステップＳ１０１２において、ステップＳ１０１０で決定した設定項目を含む設定画面４００を生成する。
【００５４】
一方、ステップＳ１００６で抽出された通信プロトコルが複数の異なる種別の通信プロトコルを含むと判定された場合には、ステップＳ１０１４に進む。
【００５５】
ステップＳ１０１４において、通信プロトコルと、かかる通信プロトコルで設定可能な設定項目との関係を示すデータベース（図４）に基づいて、ステップＳ１００６で抽出された複数の異なる種別の通信プロトコルのそれぞれで設定可能な設定項目を抽出する。
【００５６】
ステップＳ１０１６において、ステップＳ１０１４で抽出された設定項目をマージして、設定画面５００又は６００に含める設定項目を決定する。
【００５７】
ステップＳ１０１８において、ステップＳ１０１６で決定した設定項目を含む設定画面５００又は６００を生成する。
【００５８】
ステップＳ１０２０において、ステップＳ１０１２で生成された設定画面４００、又は、ステップＳ１０１８で生成された設定画面５００又は６００を操作部４０に表示して、処理を終了する。
【００５９】
通信装置１は、複数の通信プロトコルから複数の異なる種別の通信プロトコルが選択された際には、かかる複数の異なる種別の通信プロトコルのそれぞれで設定可能な設定項目をマージした設定項目を含む設定画面を表示する。換言すれば、通信装置１は、選択した通信プロトコルで必要な設定項目を含む設定画面をユーザに提供する。また、通信装置１は、複数の通信プロトコルから複数の異なる種別の通信プロトコルが選択された際には、設定項目と通信プロトコルとの関連（どの設定項目がどの通信プロトコルに影響するのか）を識別するための識別子を含む設定画面をユーザに提供する。このように、通信装置１は、ユーザの操作性を向上させる設定画面を提供することができる。
【００６０】
＜第２の実施形態＞
第２の実施形態では、宛先リストに入力された宛先情報のうち選択された宛先情報に基づいて、通信プロトコルで設定可能な設定項目を含む設定画面を表示する処理を説明する。かかる処理は、上述したように、ＣＰＵ３０１が通信装置１の各部を統括的に制御することによって実行される。
【００６１】
図１０は、通信装置１の通信対象（となる宛先）を設定するための設定画面２００Ａの一例を示す図である。設定画面２００Ａは、操作部４０に表示される。
【００６２】
図１０に示す設定画面２００Ａでは、宛先表２０２及び／又は新規宛先入力部２０６を介して、通信装置１が通信可能な複数の通信プロトコルを含む複数の宛先情報２６０が宛先リスト２０４に入力されている。複数の宛先情報２６０は、具体的には、宛先として「ｔｅｓｔ１」、通信プロトコルとして「電子メール」を含む宛先情報２６２と、宛先として「ｔｅｓｔ２」、通信プロトコルとして「ＦＡＸ」を含む宛先情報２６４とを含む。更に、複数の宛先情報２６０は、宛先として「ｔｅｓｔ３」、通信プロトコルとして「Ｉ−ＦＡＸ」を含む宛先情報２６６を含む。また、設定画面２００Ａは、宛先リスト２０４に入力された宛先情報２６２、２６４及び２６６のそれぞれを選択するためのチェックボックス２６２ａ、２６４ａ及び２６６ａを含む。図１０に示す設定画面２００Ａでは、宛先リスト２０４に入力された宛先情報２６２、２６４及び２６６の全てが選択されている。なお、本実施形態では、宛先リスト２０４に入力された複数の宛先情報２６０の１つも選択されていない場合にも、複数の宛先情報２６０の全てが選択されているものとみなす。
【００６３】
図１０に示す設定画面２００Ａにおいて、送信設定ボタン２１０が押下（選択）されると、図１１に示すように、送信時に用いられる設定項目の設定画面７００が操作部４０に表示される。宛先リスト２０４に入力されている複数の宛先情報２６０の全てが選択されている場合（図１０）には、複数の宛先情報２６０に含まれる通信プロトコルのそれぞれで設定可能な設定項目をマージした設定項目を含む設定画面７００が生成される。ここで、図１１は、通信プロトコルで設定可能な設定項目を含む設定画面７００の一例を示す図である。
【００６４】
設定画面７００は、「電子メール」、「ＦＡＸ」及び「Ｉ−ＦＡＸ」の通信プロトコルで設定可能な設定項目をマージした設定項目として、送信文書名７０１、件名７０２、本文７０３、返信先７０４、発信人名称７０５、電子メールの重要度７０６を含む。また、設定画面７００は、複数の通信プロトコルのそれぞれ（「電子メール」、「ＦＡＸ」及び「Ｉ−ＦＡＸ」）と設定項目との関連を識別するための識別子７１１乃至７１６を含む。例えば、識別子７１１は、送信文書名７０１の設定項目が「電子メール」及び「Ｉ−ＦＡＸ」の通信プロトコルに関連している（即ち、かかる通信プロトコルで設定可能な設定項目である）ことを示している。識別子７１２、７１３及び７１４は、件名７０２、本文７０３及び返信先７０４の設定項目が「電子メール」及び「Ｉ−ＦＡＸ」の通信プロトコルに関連していることを示している。識別子７１５は、発信人名称７０５の設定項目が「ＦＡＸ」の通信プロトコルに関連していることを示している。識別子７１６は、電子メールの重要度７０６の設定項目が「電子メール」の通信プロトコルに関連していることを示している。なお、識別子７１１乃至７１６は、本実施形態では、複数の通信プロトコルのそれぞれを表すアイコンであるが、複数の通信プロトコルのそれぞれと設定項目との関連を識別することができればどのような形態であってもよい。
【００６５】
なお、第１の実施形態と同様に、通信プロトコル（の種別）と、かかる通信プロトコルで設定可能な設定項目との関係を示すデータベース（図４）は、制御ユニット３０のＲＡＭ３０２やＨＤＤ３０４に予め格納されている。従って、ＣＰＵ３０１は、宛先リスト２０４に入力された複数の宛先情報２６０のうち選択された宛先情報２６２、２６４及び２６６から複数の異なる種別の通信プロトコルを抽出すると共に、図４に示すデータベースを参照する。そして、ＣＰＵ３０１は、複数の異なる種別の通信プロトコルのそれぞれで設定可能な設定項目をマージすることで設定画面７００に含める設定項目を決定することができる。
【００６６】
また、図１２に示すように、宛先リスト２０４に入力されている複数の宛先情報２６０のうち宛先情報２６６が選択されている状態で送信設定ボタン２１０が押下された場合を考える。図１２は、通信装置１の通信対象（となる宛先）を設定するための設定画面２００Ａの一例を示す図である。
【００６７】
この場合、図１３に示すように、複数の宛先情報２６０のうち宛先情報２６６に含まれる通信プロトコル（「Ｉ−ＦＡＸ」）で設定可能な設定項目を含む設定画面８００が生成されて操作部４０に表示される。設定画面８００は、「Ｉ−ＦＡＸ」の通信プロトコルで設定可能な設定項目として、送信文書名８０１、件名８０２、本文８０３、返信先８０４を含む。また、設定画面８００は、送信文書名８０１、件名８０２、本文８０３、返信先８０４の設定項目が「Ｉ−ＦＡＸ」の通信プロトコルに関連している識別子８１１乃至８１４を含む。なお、識別子８１１乃至８１４は、本実施形態では、複数の通信プロトコルのそれぞれを表すアイコンであるが、複数の通信プロトコルのそれぞれと設定項目との関連を識別することができればどのような形態であってもよい。ここで、図１３は、通信プロトコルで設定可能な設定項目を含む設定画面８００の一例を示す図である。
【００６８】
なお、上述したように、通信プロトコル（の種別）と、かかる通信プロトコルで設定可能な設定項目との関係を示すデータベース（図４）は、制御ユニット３０のＲＡＭ３０２やＨＤＤ３０４に予め格納されている。従って、ＣＰＵ３０１は、宛先リスト２０４に入力された複数の宛先情報２６０のうち選択された宛先情報２６６から通信プロトコルの種別を抽出すると共に、図４に示すデータベースを参照することで、設定画面８００に含める設定項目を決定することができる。
【００６９】
また、図１４に示すように、宛先リスト２０４に入力されている複数の宛先情報２６０のうち宛先情報２６２及び２６４が選択されている状態で送信設定ボタン２１０が押下された場合を考える。図１４は、通信装置１の通信対象（となる宛先）を設定するための設定画面２００Ａの一例を示す図である。
【００７０】
この場合、図１５に示すように、複数の宛先情報２６０のうち宛先情報２６２及び２６６に含まれる通信プロトコルのそれぞれで設定可能な設定項目をマージした設定項目を含む設定画面９００が生成されて操作部４０に表示される。具体的には、設定画面９００は、「電子メール」及び「Ｉ−ＦＡＸ」の通信プロトコルで設定可能な設定項目をマージした設定項目として、送信文書名９０１、件名９０２、本文９０３、返信先９０４、電子メールの重要度９０５を含む。また、設定画面９００は、複数の通信プロトコルのそれぞれ（「電子メール」及び「Ｉ−ＦＡＸ」）と設定項目との関連を識別するための識別子９１１乃至９１５を含む。例えば、識別子９１１乃至９１４は、送信文書名９０１、件名９０２、本文９０３及び返信先９０４の設定項目が「電子メール」及び「Ｉ−ＦＡＸ」の通信プロトコルに関連していることを示している。識別子９１５は、電子メールの重要度９０５の設定項目が「電子メール」の通信プロトコルに関連していることを示している。なお、識別子９１１乃至９１５は、本実施形態では、複数の通信プロトコルのそれぞれを表すアイコンであるが、複数の通信プロトコルのそれぞれと設定項目との関連を識別することができればどのような形態であってもよい。ここで、図１５は、通信プロトコルで設定可能な設定項目を含む設定画面９００の一例を示す図である。
【００７１】
なお、上述したように、通信プロトコル（の種別）と、かかる通信プロトコルで設定可能な設定項目との関係を示すデータベース（図４）は、制御ユニット３０のＲＡＭ３０２やＨＤＤ３０４に予め格納されている。従って、ＣＰＵ３０１は、宛先リスト２０４に入力された複数の宛先情報２６０のうち選択された宛先情報２６２及び２６６から複数の異なる種別の通信プロトコルを抽出すると共に、図４に示すデータベースを参照する。そして、ＣＰＵ３０１は、複数の異なる種別の通信プロトコルのそれぞれで設定可能な設定項目をマージすることで設定画面９００に含める設定項目を決定することができる。
【００７２】
図１６は、上述した通信プロトコルで設定可能な設定項目を含む設定画面を表示する処理を示すフローチャートである。
【００７３】
図１６を参照するに、まず、ステップＳ１１０２において、宛先表２０２又は新規宛先入力部２０６を介して、宛先リスト２０４に宛先情報が入力される。
【００７４】
ステップＳ１１０４において、送信設定ボタン２１０が押下（選択）されたか否かを判定する。送信設定ボタン２１０が押下されていないと判定された場合には、ステップＳ１１０２に戻る。一方、送信設定ボタン２１０が押下されたと判定された場合には、ステップＳ１１０６に進む。
【００７５】
ステップＳ１１０６において、ステップＳ１１０２で宛先リスト２０４に入力された宛先情報を確認して、宛先リスト２０４に入力された宛先情報に含まれている通信プロトコルを抽出する。
【００７６】
ステップＳ１１０８において、ステップＳ１１０６で抽出された通信プロトコルが１つの種別の通信プロトコルを含むか否かを判定する。換言すれば、ステップＳ１１０８において、ステップＳ１１０６で抽出された通信プロトコルが１つの種別の通信プロトコルを含むか、複数の異なる種別の通信プロトコルを含むかを判定する。
【００７７】
ステップＳ１１０６で抽出された通信プロトコルが１つの種別の通信プロトコルを含むと判定された場合には、ステップＳ１１１０に進む。
【００７８】
ステップＳ１１１０において、ステップＳ１１０６で抽出された通信プロトコル及び通信プロトコルと、かかる通信プロトコルで設定可能な設定項目との関係を示すデータベース（図４）に基づいて、設定画面４００に含める設定項目を決定する。
【００７９】
ステップＳ１１１２において、ステップＳ１１１０で決定した設定項目を含む設定画面４００を生成する。
【００８０】
一方、ステップＳ１１０６で抽出された通信プロトコルが複数の異なる種別の通信プロトコルを含むと判定された場合には、ステップＳ１１１４に進む。
【００８１】
ステップＳ１１１４において、ステップＳ１１０２で宛先リスト２０４に入力された宛先情報が選択されているか否かを判断する。
【００８２】
ステップＳ１１０２で宛先リスト２０４に入力された宛先情報が選択されていないと判断された場合には、ステップＳ１１１６に進む。
【００８３】
ステップＳ１１１６において、通信プロトコルと、かかる通信プロトコルで設定可能な設定項目との関係を示すデータベース（図４）に基づいて、ステップＳ１１０６で抽出された複数の異なる種別の通信プロトコルのそれぞれで設定可能な設定項目を抽出する。
【００８４】
ステップＳ１１１８において、ステップＳ１１１６で抽出された設定項目をマージして、設定画面７００に含める設定項目を決定する。
【００８５】
ステップＳ１１２０において、ステップＳ１０１６で決定した設定項目を含む設定画面７００を生成する。
【００８６】
一方、ステップＳ１１０２で宛先リスト２０４に入力された宛先情報が選択されていると判断された場合には、ステップＳ１１２２に進む。
【００８７】
ステップＳ１１２２において、通信プロトコルと、かかる通信プロトコルで設定可能な設定項目との関係を示すデータベース（図４）に基づいて、宛先リスト２０４に入力された宛先情報のうち選択された宛先情報の通信プロトコルで設定可能な設定項目を抽出する。
【００８８】
ステップＳ１１２４において、ステップＳ１１２２で抽出された設定項目をマージして、設定画面８００又は９００に含める設定項目を決定する。なお、宛先リスト２０４に入力された宛先情報のうち１つの宛先情報のみが選択されている場合には、設定項目をマージする必要はなく、かかる１つの宛先情報の通信プロトコルで設定可能な設定項目を設定画面８００に含める設定項目として決定する。
【００８９】
ステップＳ１１２６において、ステップＳ１１２４で決定した設定項目を含む設定画面８００又は９００を生成する。
【００９０】
ステップＳ１１２８において、ステップＳ１１１２で生成された設定画面４００、ステップＳ１１２０で生成された設定画面７００、或いは、ステップＳ１１２６で生成された設定画面８００又は９００を操作部４０に表示して、処理を終了する。
【００９１】
通信装置１は、宛先リストに入力された複数の宛先情報から宛先情報が選択された場合には、選択された宛先情報に含まれる通信プロトコルのそれぞれで設定可能な設定項目をマージした設定項目を含む設定画面を表示する。換言すれば、通信装置１は、選択した通信プロトコルで必要な設定項目を含む設定画面をユーザに提供する。また、通信装置１は、宛先リストに入力された複数の宛先情報から宛先情報が選択された場合には、設定項目と通信プロトコルとの関連（どの設定項目がどの通信プロトコルに影響するのか）を識別するための識別子を含む設定画面をユーザに提供する。このように、通信装置１は、ユーザの操作性を向上させる設定画面を提供することができる。
【００９２】
＜第３の実施形態＞
第３の実施形態では、通信装置１の通信対象（となる宛先）を設定するための設定画面において設定項目が選択された場合に、選択された設定項目に基づいて、宛先リストに入力されている宛先情報の表示を変更する処理を説明する。かかる処理は、上述したように、ＣＰＵ３０１が通信装置１の各部を統括的に制御することによって実行される。
【００９３】
図１７は、通信装置１の通信対象（となる宛先）を設定するための設定画面２００Ｂの一例を示す図である。設定画面２００Ｂは、操作部４０に表示される。
【００９４】
図１７に示す設定画面２００Ｂでは、宛先表２０２及び／又は新規宛先入力部２０６を介して、通信装置１が通信可能な複数の通信プロトコルを含む複数の宛先情報２７０が宛先リスト２０４に入力されている。複数の宛先情報２７０は、具体的には、宛先として「ｔｅｓｔ１」、通信プロトコルとして「電子メール」を含む宛先情報２７２と、宛先として「ｔｅｓｔ２」、通信プロトコルとして「ＦＡＸ」を含む宛先情報２７４とを含む。更に、複数の宛先情報２７０は、宛先として「ｔｅｓｔ３」、通信プロトコルとして「Ｉ−ＦＡＸ」を含む宛先情報２７６と、宛先として「ｔｅｓｔ４」、通信プロトコルとして「ファイル」を含む宛先情報２７８とを含む。
【００９５】
図１７に示す設定画面２００Ｂにおいて、設定項目としてファイル形式設定ボタン２１５が選択（押下）された場合を考える。この場合、図１８に示すように、宛先リスト２０４に入力された複数の宛先情報２７０のうち、設定画面２００Ｂで選択された設定項目に関連する通信プロトコルと、選択された設定項目に関連しない通信プロトコルとを識別できるように宛先情報の表示を制御する。具体的には、ファイル形式設定に関連する通信プロトコルとして、「電子メール」を含む宛先情報２７２及び「ファイル」を含む宛先情報２７８がハイライト表示されるように、宛先リスト２０４に入力された複数の宛先情報２７０の表示を制御する。ここで、図１８は、通信装置１の通信対象（となる宛先）を設定するための設定画面２００Ｂの一例を示す図である。
【００９６】
図１９は、上述した設定画面２００Ｂにおいて、宛先リスト２０４に入力された複数の宛先情報２７０の表示を制御する処理を示すフローチャートである。
【００９７】
図１９を参照するに、まず、ステップＳ１３０２において、宛先表２０２又は新規宛先入力部２０６を介して、宛先リスト２０４に宛先情報が入力される。
【００９８】
ステップＳ１３０４において、通信装置１の通信対象（となる宛先）を設定するための設定画面（例えば、設定画面２００Ｂ）において、設定項目（例えば、ファイル形式設定ボタン２１５）が選択されたか否かを判定する。設定項目が選択されていないと判定された場合には、ステップＳ１３０２に戻る。一方、設定項目が選択されていると判定された場合には、ステップＳ１３０６に進む。
【００９９】
ステップＳ１３０６において、ステップＳ１３０２で宛先リスト２０４に入力された宛先情報の通信プロトコルを確認する。この際、通信プロトコルと、かかる通信プロトコルで設定可能な設定項目との関係を示すデータベース（図４）を参照して、通信プロトコルで設定可能な設定項目も確認する。
【０１００】
ステップＳ１３０８において、通信装置１の通信対象を設定するための設定画面で選択された設定項目がステップＳ１３０６で確認された通信プロトコルに関連するか否かを判定する。
【０１０１】
通信装置１の通信対象を設定するための設定画面で選択された設定項目がステップＳ１３０６で確認された通信プロトコルに関連しない場合には、処理を終了する。一方、通信装置１の通信対象を設定するための設定画面で選択された設定項目がステップＳ１３０６で確認された通信プロトコルに関連する場合には、ステップＳ１３１０に進む。
【０１０２】
ステップＳ１３１０において、宛先リスト２０４に入力された宛先情報のうち、通信装置１の通信対象を設定するための設定画面で選択された設定項目が関連する通信プロトコルを含む宛先情報をハイライト表示して、処理を終了する。
【０１０３】
なお、本実施形態では、通信装置１の通信対象を設定するための設定画面で選択された設定項目が関連する通信プロトコルを含む宛先情報をハイライト表示したが、これに限定されるものではない。例えば、宛先リストに入力された宛先情報のそれぞれにチェックボックスを設け、設定画面で選択された設定項目が関連する通信プロトコルを含む宛先情報のチェックボックスにチェックを付けるようにしてもよい。
【０１０４】
また、図２０に示すように、設定画面２００Ｂで選択された設定項目に関連しない通信プロトコルとして、「ＦＡＸ」を含む宛先情報２７４及び「Ｉ−ＦＡＸ」を含む宛先情報２７６が網掛け表示されるようにしてもよい。このようにしても、設定画面２００Ｂで選択された設定項目に関連する通信プロトコルと、選択された設定項目に関連しない通信プロトコルとを識別できるように宛先情報の表示を制御することが可能である。この場合、図２１に示すように、図１９に示すステップＳ１３１０をステップＳ１３１２に置換すればよい。具体的には、ステップＳ１３１２において、宛先リスト２０４に入力された宛先情報のうち、通信装置１の通信対象を設定するための設定画面で選択された設定項目が関連しない通信プロトコルを含む宛先情報を網掛け表示して、処理を終了する。ここで、図２０は、通信装置１の通信対象（となる宛先）を設定するための設定画面２００Ｂの一例を示す図である。また、図２１は、上述した設定画面２００Ｂにおいて、宛先リスト２０４に入力された複数の宛先情報２７０の表示を制御する処理を示すフローチャートである。
【０１０５】
通信装置１は、設定画面２００Ｂで選択された設定項目が宛先リスト２０４に入力された複数の宛先情報２７０のうちどの宛先情報に含まれる通信プロトコルに関連しているか、或いは、関連していないかをユーザにわかり易く表示する。このように、通信装置１は、ユーザの操作性を向上させる設定画面を提供することができる。
【０１０６】
なお、以上の説明では、宛先設定の機能を有する宛先設定装置（例えば、操作部４０）が通信装置１の一部として備えられている例を示したが、これ以外の態様であってもよい。つまり、実際の通信機能を備えた通信装置１とは別の装置に、上述した宛先設定の機能を備え、該装置において設定された宛先情報及び詳細設定を通信装置１に入力することにより、通信装置１が通信を実行するようにしてもよい。
【０１０７】
また、本発明の目的は、上述した実施形態の機能を実現するソフトウェアのプログラムコードを記録した記録媒体を、システム又は装置に供給しても達成することができる。従って、かかるシステム又は装置のコンピュータ（ＣＰＵやＭＰＵ）が記録媒体に記録されたプログラムコードを読み出して実行することによっても達成されることは言うまでもない。
【０１０８】
この場合、記録媒体から読み出されたプログラムコード自体が上述した実施形態の機能を実現することになり、かかるプログラムコードを記録した記録媒体は本発明を構成することになる。プログラムコードを記録（供給）するための記録媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。
【０１０９】
また、コンピュータが読み出したプログラムコードを実行することによって、上述した実施形態の機能が実現される場合もある。但し、プログラムコードの指示に基づいて、コンピュータ上で稼動しているＯＳ（オペレーティングシステム）などが実際の処理の一部又は全部を行い、かかる処理によって上述した実施形態の機能が実現される場合も含まれることは言うまでもない。
【０１１０】
更に、記録媒体から読み出されたプログラムコードが、コンピュータに挿入された機能拡張ボードやコンピュータに接続された機能拡張ユニットに備わるメモリに書き込まれる場合もある。従って、プログラムコードの指示に基づいて、機能拡張ボードや機能拡張ユニットに備わるＣＰＵなどが実際の処理の一部又は全部を行い、かかる処理によって上述した実施形態の機能が実現される場合も含まれることは言うまでもない。
【０１１１】
以上、本発明の好ましい実施形態について説明したが、本発明はこれらの実施形態に限定されないことはいうまでもなく、その要旨の範囲内で種々の変形及び変更が可能である。例えば、本発明は、送信設定ボタンを押下した際に表示される設定画面に限定されるものではなく、他のボタンを押下した際に表示される画面や設定を確認する画面などにも適用することができる。
【図１】
0005165134.tif 000002
【図２】
0005165134.tif 000003
【図３】
0005165134.tif 000004
【図４】
0005165134.tif 000005
【図５】
0005165134.tif 000006
【図６】
0005165134.tif 000007
【図７】
0005165134.tif 000008
【図８】
0005165134.tif 000009
【図９】
0005165134.tif 000010
【図１０】
0005165134.tif 000011
【図１１】
0005165134.tif 000012
【図１２】
0005165134.tif 000013
【図１３】
0005165134.tif 000014
【図１４】
0005165134.tif 000015
【図１５】
0005165134.tif 000016
【図１６】
0005165134.tif 000017
【図１７】
0005165134.tif 000018
【図１８】
0005165134.tif 000019
【図１９】
0005165134.tif 000020
【図２０】
0005165134.tif 000021
【図２１】
0005165134.tif 000022